(57)【要約】【課題】来訪者が不審者である可能性が高い場合、その容姿を分かり易く録画することができるインターホンシステムを提供する。【解決手段】子機マイク１０３により収集した音が不審音である可能性が高く、かつ人物検知部２１０１により人物が検知されない状態になった後に人物検知部２１０１により再び人物が検知され、検知された人物が仮録画メモリ２１１に記録された仮録画映像内の人物である可能性が高い場合に、ズーム処理部２１２により、この人物の顔をズームしたズーム映像が生成されるようになっており、この映像が本録画映像として録画メモリ２１３に記録されるように構成する。【選択図】図２
2012160830.tif 000002
【特許請求の範囲】
【請求項１】
来訪者が居住者を呼び出す際に操作する呼出ボタン、前記来訪者が前記居住者と通話するための子機マイク、子機スピーカ、および前記来訪者を撮像するためのカメラを有する玄関子機と、前記居住者が前記玄関子機からの呼び出しに応答する際に操作する操作部、前記居住者が前記来訪者と通話するための親機マイク、親機スピーカ、および前記玄関子機の前記カメラにより撮像された撮像画像を表示する表示部を有する居室親機とを有しており、前記来訪者が前記玄関子機の前記呼出ボタンを操作した場合、前記カメラおよび前記子機マイクが予め設定された呼出時間のあいだ駆動するように構成されているインターホンシステムにおいて、
前記玄関子機または前記居室親機は、
前記カメラにより撮像される映像の中に人物がいるかどうかを検知する人物検知手段と、
前記人物検知手段により人物が検知された場合、検知された人物の顔部分を検知するとともに、この顔部分の露出度を数値化する顔検知手段と、
前記顔検知手段により数値化された数値が所定値以上である場合には、前記カメラで撮像される全体映像を本録画映像として記録し、前記顔検知手段により数値化された数値が所定値以下である場合には、前記カメラで撮像される全体映像を仮録画映像として記録する録画手段と、
前記録画手段により前記カメラで撮像される全体映像が仮録画映像として記録された場合であって、前記人物検知手段により一度検知された人物が前記呼出時間内に前記カメラにより撮像される撮像範囲外に移動し、前記人物検知手段により人物が検知されない状態になった場合、前記呼出時間を延長するとともに、前記子機マイクにより収集した音を前記玄関子機または前記居室親機内に予め記録された不審音パターンと比較し、比較の結果、音が一致する可能性が所定値以上である場合、前記子機マイクにより収集した音を不審音として判定する不審音判定手段と、
前記不審音判定手段により前記子機マイクにより収集した音が不審音として判定された場合であって、前記人物検知手段により人物が検知されない状態になった後に前記人物検知手段により再び人物が検知された場合、検知された人物の特徴と前記仮録画映像内の人物の特徴とを比較する特徴比較手段と、
前記特徴比較手段による比較の結果、前記検知された人物が前記仮録画映像内の人物である可能性が高い場合、前記検知された人物の顔に電子的または機構的に前記カメラのズーム処理を実行するズーム手段と、を有しており、
前記録画手段は、前記ズーム手段によりズームされて撮像された映像を本録画映像として記録するとともに、前記仮録画映像を破棄する、
インターホンシステム。
【請求項２】
前記録画手段により前記カメラで撮像される全体映像が仮録画映像として記録された場合であって、前記人物検知手段により一度検知された人物が前記カメラにより撮像される撮像範囲外に移動することがないまま前記呼出時間が経過した場合には、前記仮録画映像が本録画映像として保存される、請求項１記載のインターホンシステム。
【請求項３】
前記特徴比較手段による比較の結果、前記検知された人物が前記仮録画映像内の人物である可能性が低い場合、前記仮録画映像が本録画映像として保存される、請求項１または２記載のインターホンシステム。
【発明の詳細な説明】
【技術分野】
【０００１】
本発明は、インターホンシステムに関する。
【背景技術】
【０００２】
従来より、来訪者が居住者を呼び出す際に操作する呼出ボタン、来訪者が居住者と通話するための子機マイク、子機スピーカおよび来訪者を撮像するためのカメラを有する玄関子機と、居住者が玄関子機からの呼び出しに応答する際に操作する操作部、居住者が来訪者と通話するための親機マイク、親機スピーカ、玄関子機のカメラにより撮像された映像を表示するモニタおよびこの映像を録画するメモリを有する居室親機とを有しており、来訪者が玄関子機の呼出ボタンを操作した場合、カメラおよび子機マイクが予め設定された呼出時間のあいだ駆動するように構成されているインターホンシステムが知られている。
このようなインターホンシステムでは、玄関子機で撮像された映像が所定時間メモリに録画されるように構成することで、居住者が留守の間に来訪者があったこと等を確認することができる。
【先行技術文献】
【特許文献】
【０００３】
【特許文献１】特開２００３−１９８７４１号公報
【特許文献２】特開２００６−３３９７４１号公報
【発明の概要】
【発明が解決しようとする課題】
【０００４】
以上のようなインターホンシステムにおいては、来訪者が不審者であるか否かに関わらず、カメラにより撮像された映像（すなわち広範囲の映像）がそのまま録画される。このため、来訪者が不審者であった場合、居住者が録画した映像でその容姿を確認しようとしても、顔部分の映像が小さすぎてその容姿が分かりづらいという問題があった。
【０００５】
本発明は、以上のような問題点に鑑みてなされたものであり、来訪者が不審者である可能性が高い場合、その容姿を分かり易く録画することができるインターホンシステムを提供することを課題とする。
【課題を解決するための手段】
【０００６】
上記課題を解決するために、本願発明者は、以下のようなインターホンシステムを提案する。
【０００７】
本発明のインターホンシステムは、来訪者が居住者を呼び出す際に操作する呼出ボタン、前記来訪者が前記居住者と通話するための子機マイク、子機スピーカ、および前記来訪者を撮像するためのカメラを有する玄関子機と、前記居住者が前記玄関子機からの呼び出しに応答する際に操作する操作部、前記居住者が前記来訪者と通話するための親機マイク、親機スピーカ、および前記玄関子機の前記カメラにより撮像された撮像画像を表示する表示部を有する居室親機とを有しており、前記来訪者が前記玄関子機の前記呼出ボタンを操作した場合、前記カメラおよび前記子機マイクが予め設定された呼出時間のあいだ駆動するように構成されている。
このインターホンシステムの玄関子機または居室親機は、カメラにより撮像される映像の中に人物がいるかどうかを検知する人物検知手段と、前記人物検知手段により人物が検知された場合、検知された人物の顔部分を検知するとともに、この顔部分の露出度を数値化する顔検知手段と、前記顔検知手段により数値化された数値が所定値以上である場合には、前記カメラで撮像される全体映像を本録画映像として記録し、前記顔検知手段により数値化された数値が所定値以下である場合には、前記カメラで撮像される全体映像を仮録画映像として記録する録画手段と、前記録画手段により前記カメラで撮像される全体映像が仮録画映像として記録された場合であって、前記人物検知手段により一度検知された人物が前記呼出時間内に前記カメラにより撮像される撮像範囲外に移動し、前記人物検知手段により人物が検知されない状態になった場合、前記呼出時間を延長するとともに、前記子機マイクにより収集した音を前記玄関子機または前記居室親機内に予め記録された不審音パターンと比較し、比較の結果、音が一致する可能性が所定値以上である場合、前記子機マイクにより収集した音を不審音として判定する不審音判定手段と、前記不審音判定手段により前記子機マイクにより収集した音が不審音として判定された場合であって、前記人物検知手段により人物が検知されない状態になった後に前記人物検知手段により再び人物が検知された場合、検知された人物の特徴と前記仮録画映像内の人物の特徴とを比較する特徴比較手段と、前記特徴比較手段による比較の結果、前記検知された人物が前記仮録画映像内の人物である可能性が高い場合、前記検知された人物の顔に電子的または機構的に前記カメラのズーム処理を実行するズーム手段と、を有しており、前記録画手段は、前記ズーム手段によりズームされて撮像された映像を本録画映像として記録するとともに、前記仮録画映像を破棄するように構成されている。
不審者の特徴および行動パターンとして、サングラスやマスク、帽子などで顔を覆う等して顔部分をほとんど隠した状態で来訪することや、玄関付近を行ったり来たり往復すること等が考えられる。
発明者はこの不審者の特徴および行動パターンに着目し、本発明のインターホンシステムを発明した。
すなわち、このインターホンシステムでは、顔検知手段により顔の露出度を数値化し、顔の露出度が低い場合、来訪者が不審者である可能性があるとしてその映像を仮録画するように構成されている。そして、該人物がカメラの撮像範囲外に移動した際、不審音判定手段により、子機マイクにより収集した音を、玄関付近を行ったり来たり往復するような予め記録された不審音パターンと比較し、子機マイクにより収集した音が不審音である可能性が高いか否か判定する。そして、子機マイクにより収集した音が不審音である可能性が高く、かつ人物検知手段により人物が検知されない状態になった後に人物検知手段により再び人物が検知され、検知された人物が仮録画映像内の人物である可能性が高い場合に、この人物の顔をズームしたズーム映像が生成されるようになっており、この映像が本録画映像として記録されるように構成されている。
すなわち、本発明のインターホンシステムによれば、来訪者の特徴が怪しくさらに挙動が不審である場合、該人物の顔を自動的にズームして撮像が行われるとともに、該ズーム映像が録画されるので、不審者である可能性の高い来訪者の特徴を分かり易く記録することができる。
【０００８】
前記録画手段により前記カメラで撮像される全体映像が仮録画映像として記録された場合であって、前記人物検知手段により一度検知された人物が前記カメラにより撮像される撮像範囲外に移動することがないまま前記呼出時間が経過した場合には、前記仮録画映像が本録画映像として保存されるように構成してもよい。
【０００９】
前記特徴比較手段による比較の結果、前記検知された人物が前記仮録画映像内の人物である可能性が低い場合、前記仮録画映像が本録画映像として保存されるように構成してもよい。
このような構成のインターホンシステムによれば、来訪者がカメラの撮像範囲から外れてしまい、さらに近隣の住民等が偶然カメラの前を横切った場合にもカメラで最初に撮像した映像を記録しておくことができるので、来訪者自身の映像を確実に保存することができる。
【発明の効果】
【００１０】
本発明によれば、来訪者が不審者である可能性が高い場合、その容姿を分かり易く録画することができるインターホンシステムを提供することができる。
【図面の簡単な説明】
【００１１】
【図１】インターホンシステム１の全体構成を示す図。
【図２】インターホンシステム１の構成を示すブロック図。
【図３】インターホンシステム１における動作の一部を示すフローチャート。
【図４】子機マイクで収集した音データの一例を示す図。
【図５】不審音パターンメモリに記録された不審音パターンの一例を示す図。
【発明を実施するための形態】
【００１２】
以下、本発明のインターホンシステムの好ましい実施形態を、図面を参照しながら詳細に説明する。
【００１３】
本実施形態によるインターホンシステム１は、概略で図１に示すように構成される。
すなわち、このインターホンシステム１は、玄関付近に設置される玄関子機１０と、住宅内に設置される居室親機２０と、を有している。
玄関子機１０は、来訪者が居住者を呼び出すために用いられ、主に住戸の玄関に設置される。居室親機２０は、玄関子機１０からの呼び出しに応答するために用いられ、その住戸内に設置される。このカメラ付き玄関子機１０と居室親機２０とは伝送線路Ｌ１を介して接続される。
【００１４】
以下、玄関子機１０および居室親機２０の構成について説明する。
【００１５】
玄関子機１０は、図１または図２に示すように、来訪者を撮影するためのカメラ１０１、来訪者が居住者を呼び出すための呼出ボタン１０２、居住者と通話するための子機マイク１０３および子機スピーカ１０４、子機マイク１０３および子機スピーカ１０４を用いて居住者と通話を行うための子機通話回路１０５、カメラ１０１で撮影した映像を処理するための子機映像処理部１０６、居室親機２０と通信するための子機ＩＦ１０７および玄関子機１０の各部を制御するための子機ＣＰＵ１０８を備える。
【００１６】
居室親機２０は、玄関子機１０と通信するための親機ＩＦ２０１、玄関子機１０の子機マイク１０３および子機スピーカ１０４と通話するための親機マイク２０２および親機スピーカ２０３、来訪者からの呼び出しに応答するための通話ボタン２０４、親機マイク２０２および親機スピーカ２０３を用いて来訪者と通話を行うための親機通話回路２０５、予め不審音パターンが記録された不審音パターンメモリ２０６と、親機マイク２０２で収集した音を不審音パターンメモリ２０６に記録された不審音パターンと比較し、親機マイク２０２で収集した音が不審音であるか否かを判断する不審音判断部２０７と、玄関子機１０から受け取った映像を処理するための親機映像処理部２０８、親機映像処理部２０８からの撮像画像データを出画するためのモニタ２０９、人物判定部２１０、仮録画メモリ２１１、人物判定部２１０の判定結果にしたがって適宜ズーム処理を実行するズーム処理部２１２、録画メモリ２１３、タイマ２１４および居室親機２０の各回路を制御するための親機ＣＰＵ２１５を備える。
【００１７】
人物判定部２１０は、玄関子機１０のカメラ１０１で撮像した画像データの中に人物がいるかどうかを検知する人物検知部２１０１と、人物検知部２１０１により人物が検知された場合、該人物の顔部分を検知するとともに、この顔部分の露出度を数値化する顔検知部２１０２と、所定の場合に、人物検知部２１０１により検知された人物の特徴と仮録画メモリ２１１に記録された仮録画映像内の人物の特徴とを比較し、検知された人物が仮録画映像内の人物である可能性が高いか否かを判断する特徴判断部２１０３とを有している。
仮録画メモリ２１１は、所定の場合に、居室親機２０が親機ＩＦ２０１を介して玄関子機１０から受信したカメラ１０１の撮像画像データを一時的に録画するためのメモリである。
録画メモリ２１３は、所定の場合に、居室親機２０が親機ＩＦ２０１を介して玄関子機１０から受信したカメラ１０１の撮像画像データを録画するためのメモリである。
【００１８】
なお、不審音パターンメモリ２０６に記録すべき不審音パターンとしては、例えば、玄関子機１０の周辺を行ったり来たりする往復動作や、すり足、忍び足など、不審者が玄関子機１０の周辺でとると考えられる行動に伴い発生すると考えられる音のパターンがあげられる。
【００１９】
本実施形態では、居室親機２０が、不審音パターンメモリ２０６、不審音判断部２０７、人物判定部２１０、仮録画メモリ２１１、ズーム処理部２１２、録画メモリ２１３およびタイマ２１４を有するものとして記載したが、これらを玄関子機１０が有するような構成としてもよい。また、仮録画メモリ２１１と録画メモリ２１３を１つのメモリとしてフラグ等の識別子で使い分けるようにしても良い。
【００２０】
次に、以上のように構成されたインターホンシステム１の動作、具体的には来訪者が玄関子機１０を操作して居住者を呼び出した場合の動作について、図３のフローチャートに基づいて説明する。
来訪者により玄関子機１０の呼出ボタン１０２が押下されると（ＳＴ１）、子機ＣＰＵ１０８は、子機ＩＦ１０７から伝送路Ｌ１を経由して居室親機２０に呼出信号を送信する。また、カメラ１０１による撮像が開始され（ＳＴ２）、カメラ１０１から撮像映像信号が出力される。この映像信号は子機映像処理部１０６により変調され、子機ＩＦ１０７から伝送路Ｌ１を介して居室親機２０に送信される。
居室親機２０では、親機ＩＦ２０１を経由して親機ＣＰＵ２１５が呼出信号を受信すると、親機ＣＰＵ２１５は親機通話回路２０５に呼出音を生成させ、親機スピーカ２０３から呼出音が報音される。また、玄関子機１０から親機ＩＦ２０１を経由して送信されてきた映像信号が親機映像処理部２０８により復調され、親機モニタ２０９に表示される。
また、親機ＣＰＵ２１５は呼出信号を受信するとタイマ２１４を駆動させ、居住者が応答操作しなくても予め設定された呼出時間（例えば２０秒）のあいだカメラ１０１および子機マイク１０３を駆動させた状態が維持されるように制御する。
【００２１】
親機映像処理部２０８が撮像映像信号を受け取ると、人物検知部２１０１は、この撮像映像の中に人物がいるかどうかを検知する（ＳＴ３）。
人物検知部２１０１が撮像映像の中に人物を検知した場合（ＳＴ３：Ｙｅｓ）、顔検知部２１０２は、検知された人物の顔部分を検知するとともに、この顔部分の露出度を数値化する。そして、顔検知部２１０２により数値化された数値が所定値（例えば１０％）以下である場合、すなわち検知された人物がサングラスやマスク、帽子等で顔の様々な部分を隠しており、顔部分の露出度が所定値以下である場合（ＳＴ４：Ｙｅｓ）には、人物判定部２１０は、カメラ１０１により撮像される全体映像を仮録画映像として仮録画メモリ２１１に記録する（ＳＴ６）。
一方、顔検知部２１０２により数値化された数値が所定値以上である場合（ＳＴ４：Ｎｏ）または人物検知部２１０１が撮像映像の中に人物を検知しなかった場合（ＳＴ３：Ｎｏ）には、人物判定部２１０は、従来のインターホンシステムのように、カメラ１０１により撮像される全体映像を本録画映像として録画メモリ２１３に記録する（ＳＴ５）。
なお、人物検知部２１０１が撮像映像の中に人物を検知する方法については、特開２００３−２８４０５５号公報、特開２０００−０７８５６４号公報、特開２００３−１０９００１号公報、特開２００２−２９６４８９号公報に記載されるような公知の技術を用いて行うことができる。
また、顔検知部２１０２が人物の顔部分を検知するとともに、この顔部分の露出度を数値化する方法については、特開２００７−０５８３７５号公報に記載されるような公知の技術を用いて行うことができる。
【００２２】
人物判定部２１０により、カメラ１０１により撮像される全体映像が仮録画メモリ２１１に記録された場合であって、人物検知部２１０１により一度検知された人物が呼出時間内にカメラ１０１により撮像される撮像範囲外に移動し、人物検知部２１０１により人物が検知されない状態になった場合（ＳＴ７：Ｙｅｓ）、親機ＣＰＵ２１５は、タイマ２１４を制御して呼出時間を所定の時間（例えば９０秒）延長するよう制御するとともに、不審音判断部２０７は、親機ＣＰＵ２１５、親機通話回路２０５を介して受け取った子機マイク１０３により収集した音を不審音パターンメモリ２０６に予め記録された不審音パターンと比較する（ＳＴ９）。具体的には、例えば図４に示すような子機マイク１０３により収集した音と、図５に示すような不審音パターンの周波数帯域の比較を行う。
比較の結果、音が一致する可能性が所定値以上（例えば９０％以上）である場合（ＳＴ１０：Ｙｅｓ）、不審音判断部２０７は、子機マイク１０３により収集した音を不審音として判断する。
一方、音が一致する可能性が所定値以下である場合（ＳＴ１０：Ｎｏ）には、不審音判断部２０７により子機マイク１０３により収集した音を不審音ではないと判断され、人物判定部２１０により、仮録画メモリ２１１に記録された仮録画映像が本録画映像として録画メモリ２１３に記録される（ＳＴ８）。
また、人物検知部２１０１により一度検知された人物が呼出時間内にカメラ１０１により撮像される撮像範囲外に移動しなかった場合（ＳＴ７：Ｎｏ）にも、人物判定部２１０は、仮録画メモリ２１１に記録された仮録画映像を本録画映像として録画メモリ２１３に記録する（ＳＴ８）。
【００２３】
不審音判断部２０７が子機マイク１０３により収集した音を不審音として判断した場合（ＳＴ１０：Ｙｅｓ）であって、再び人物検知部２１０１が人物を検知した場合（ＳＴ１１：Ｙｅｓ）、特徴判断部２１０３は、検知された人物の特徴と仮録画メモリ２１１内の仮録画映像内の人物の特徴とを比較する（ＳＴ１２）。
特徴判断部２１０３は、人物の顔の露出度が低い状態で特徴の比較を行う必要があるため、目、鼻または口以外の要素である顔の輪郭や、顔全体の濃淡等の特徴が一致するか否かの比較を行う。具体的には、両映像内の顔部分の白と黒の諧調による輪郭や、輝度（Ｙ信号）、色（ＲＧＢ信号）の値の比較を行う。
【００２４】
特徴判断部２１０３による比較の結果、検知された人物が仮録画映像内の人物と一致する可能性が所定値以上（例えば９０％）である場合（ＳＴ１３：Ｙｅｓ）、ズーム処理部２１２によりズーム処理が実行される（ＳＴ１４）。
このズーム処理は、カメラ１０１により撮像される撮像映像のうち、顔検知部２１０２により検知される顔部分の映像を切り出すことによって実行される。具体的には、顔検知されている輪郭の大きさから約１０％周辺を切り出すとともに、切り出した映像を居室親機の画面サイズにリサイズすることにより行われる。
このようにして生成された不審者の顔部分をズームしたズーム映像は、本録画映像として録画メモリ２１３に記録される（ＳＴ１５）。なお、仮録画メモリ２１１に記録された仮録画映像は破棄される。
【００２５】
なお、特徴判断部２１０３による比較の結果、検知された人物が仮録画映像内の人物と一致する可能性が所定値以下である場合（ＳＴ１３：Ｎｏ）または人物検知部２１０１が再び人物を検知しなかった場合（ＳＴ１１：Ｎｏ）には、人物判定部２１０により、仮録画メモリ２１１に記録された仮録画映像が本録画映像として録画メモリ２１３に記録される（ＳＴ８）。
【００２６】
以上のように、本実施形態のインターホンシステム１によれば、来訪者が不審者である可能性が高い場合、その容姿を分かり易く録画することができる。
【００２７】
なお、本実施形態では、顔検知部２１０２により検知される顔部分の映像を切り出すことによってズーム処理を行うものとして説明したが、これに限られず、カメラ１０１にズーム機能を設け、カメラ１０１による撮像映像自体がズーム映像となるように制御する構成としてもよい。
【符号の説明】
【００２８】
１・・インターホンシステム、１０・・玄関子機、２０・・居室親機、１０１・・カメラ、１０２・・呼出ボタン、１０３・・子機マイク、１０４・・子機スピーカ、１０５・・子機通話回路、１０６・・子機映像処理部、１０７・・子機ＩＦ、１０８・・子機ＣＰＵ、２０１・・親機ＩＦ、２０２・・親機マイク、２０３・・親機スピーカ、２０４・・通話ボタン、２０５・・親機通話回路、２０６・・不審音パターンメモリ、２０７・・不審音判断部（不審音判定手段）、２０８・・親機映像処理部、２０９・・モニタ、２１０・・人物判定部、２１１・・仮録画メモリ（録画手段）、２１２・・ズーム処理部（ズーム手段）、２１３・・録画メモリ（録画手段）、２１４・・親機ＣＰＵ、２１０１・・人物検知部（人物検知手段）、２１０２・・顔検知部（顔検知手段）、２１０３・・特徴判断部（特徴比較手段）。
【図１】
2012160830.tif 000003
【図２】
2012160830.tif 000004
【図３】
2012160830.tif 000005
【図４】
2012160830.tif 000006
【図５】
2012160830.tif 000007